(57)【要約】      （修正有）【課題】粒状物を１つずつ取出せる粒状物用容器を提供する。【解決手段】収容凹部１１を有する皿状の内容器１２と、内容器１２に、前後方向に移動可能に装着されるとともに、収容凹部１１を閉塞した蓋体１３と、を備え、蓋体は、収容凹部１１を閉塞した閉塞位置と、閉塞位置より後方に位置し、収容凹部１１の前端部１１ａを開放した開放位置と、の間を移動可能に配設され、蓋体１３の下面には、左右方向に並べられて配置されるとともに、下方に向けて突出した左右一対の仕切壁２６が配設され、左右一対の仕切壁２６同士の間に、粒状物Ｗが前方に通過可能な隙間Ｓ１が設けられ、内容器１２における収容凹部１１の底面に、左右一対の仕切壁２６同士の間の隙間Ｓ１に、この隙間Ｓ１の後方から対向するとともに、上方に向けて突出する支持壁２８が配設され、左右一対の仕切壁２６同士の間の隙間Ｓ１の左右方向の大きさは、粒状物Ｗの外径以下となっている。【選択図】図１
2019099205.tif 000002
【特許請求の範囲】
【請求項１】
内側が、上方に向けて開口するとともに粒状物が収容される収容凹部とされた皿状の内容器と、
前記内容器に、上下方向に直交する前後方向に移動可能に装着されるとともに、前記収容凹部を閉塞した蓋体と、を備え、
前記蓋体は、前記収容凹部を閉塞した閉塞位置と、前記閉塞位置より後方に位置し、前記収容凹部の前端部を開放した開放位置と、の間を移動可能に配設され、
前記蓋体の下面には、上下方向および前後方向の双方向に直交する左右方向に並べられて配置されるとともに、下方に向けて突出した左右一対の仕切壁が配設され、
前記左右一対の仕切壁同士の間に、粒状物が前方に通過可能な隙間が設けられ、
前記内容器における前記収容凹部の底面に、前記左右一対の仕切壁同士の間の隙間に、この隙間の後方から対向するとともに、上方に向けて突出する支持壁が配設され、
前記左右一対の仕切壁同士の間の隙間の左右方向の大きさは、粒状物の外径以下となっていることを特徴とする粒状物用容器。
【請求項２】
前記支持壁の左右方向の大きさは、粒状物の外径と同等になっていることを特徴とする請求項１に記載の粒状物用容器。
【請求項３】
前記支持壁における左右方向の両端部と、前記収容凹部の内側面と、の間の左右方向の隙間の大きさは、粒状物の外径の１倍より大きく２倍より小さいことを特徴とする請求項１または２に記載の粒状物用容器。
【請求項４】
前記蓋体が前記閉塞位置に位置したときに、前記仕切壁は前記収容凹部の前端部に位置していることを特徴とする請求項１から３のいずれか１項に記載の粒状物用容器。
【請求項５】
前記左右一対の仕切壁は、左右方向の内側から外側に向かうに従い漸次、後方に向けて延びていることを特徴とする請求項１から４のいずれか１項に記載の粒状物用容器。
【請求項６】
前記左右一対の仕切壁は、弾性変形可能に形成されていることを特徴とする請求項１から５のいずれか１項に記載の粒状物用容器。
【発明の詳細な説明】
【技術分野】
【０００１】
本発明は、粒状物用容器に関する。
【背景技術】
【０００２】
従来から、例えば下記特許文献１に示されるような、粒状物が収容された粒状物用容器が知られている。
【先行技術文献】
【特許文献】
【０００３】
【特許文献１】特開２００４−１８５４号公報
【発明の概要】
【発明が解決しようとする課題】
【０００４】
しかしながら、前記従来の粒状物用容器では、粒状物を１つずつ取出すことが困難であるという問題があった。
【０００５】
本発明は、このような事情を考慮してなされたもので、粒状物を１つずつ取出すことができる粒状物用容器を提供することを目的とする。
【課題を解決するための手段】
【０００６】
上記課題を解決して、このような目的を達成するために、本発明の粒状物用容器は、  内側が、上方に向けて開口するとともに粒状物が収容される収容凹部とされた皿状の内容器と、前記内容器に、上下方向に直交する前後方向に移動可能に装着されるとともに、前記収容凹部を閉塞した蓋体と、を備え、前記蓋体は、前記収容凹部を閉塞した閉塞位置と、前記閉塞位置より後方に位置し、前記収容凹部の前端部を開放した開放位置と、の間を移動可能に配設され、前記蓋体の下面には、上下方向および前後方向の双方向に直交する左右方向に並べられて配置されるとともに、下方に向けて突出した左右一対の仕切壁が配設され、前記左右一対の仕切壁同士の間に、粒状物が前方に通過可能な隙間が設けられ、前記内容器における前記収容凹部の底面に、前記左右一対の仕切壁同士の間の隙間に、この隙間の後方から対向するとともに、上方に向けて突出する支持壁が配設され、前記左右一対の仕切壁同士の間の隙間の左右方向の大きさは、粒状物の外径以下となっていることを特徴とする。
【０００７】
この発明によれば、左右一対の仕切壁同士の間の隙間（以下、取出し隙間という）の左右方向の大きさが、粒状物の外径以下となっているので、取出し隙間と支持壁との間（以下、待機空間という）に位置する粒状物が仮に複数あったとしても、取出し隙間を通過する粒状物の数量を１つに抑えることができる。したがって、蓋体を閉塞位置から開放位置に位置させると、待機空間に位置する粒状物が、粒状物の後側から支持壁に支持された状態で、仕切壁が、支持壁における左右方向の両端部と、収容凹部の内側面と、の間の左右方向の隙間（以下、導入隙間という）に位置する粒状物を後方に押し下げながら後方に移動することで、１つの粒状物が、取出し隙間を前方に通過する。これにより、収容凹部の複数の粒状物のうちの１つの粒状物のみを、取出し隙間を前方に通過させて収容凹部の前端部に位置させることができる。この際、収容凹部の前端部が蓋体から開放されることにより、１つの粒状物を取出すことができる。さらにこの際、左右一対の仕切壁が、支持壁に当接若しくは近接し、導入隙間を通した粒状物の流通を阻止するため、支持壁より後方に位置する他の粒状物が、収容凹部の前端部に到達するのを防ぐことができる。
以上より、１つの粒状物を取出すことができる。
【０００８】
ここで、前記支持壁の左右方向の大きさは、粒状物の外径と同等になってもよい。
【０００９】
この場合、支持壁の左右方向の大きさが、粒状物の外径と同等になっているので、左右一対の仕切壁同士の間の取出し隙間と、支持壁と、の間の待機空間に位置する粒状物が仮に複数あったとしても、蓋体を閉塞位置から開放位置に位置させたときに、１つの粒状物のみを、この粒状物の後側から支持壁に支持させることが可能になり、取出し隙間を通過する粒状物の数量を確実に１つにすることができる。
【００１０】
また、前記支持壁における左右方向の両端部と、前記収容凹部の内側面と、の間の左右方向の隙間の大きさは、粒状物の外径の１倍より大きく２倍より小さくてもよい。
【００１１】
この場合、支持壁における左右方向の両端部と、収容凹部の内側面と、の間の導入隙間の大きさが、粒状物の外径の１倍より大きく２倍より小さいので、粒状物が、左右方向に２つ以上並んで導入隙間を前方に通過するのを防ぐことが可能になり、待機空間に位置する粒状物の数量を１つにすることができる。１つの粒状物を取出すことを確実に実現することができる。
【００１２】
また、前記蓋体が前記閉塞位置に位置したときに、前記仕切壁は前記収容凹部の前端部に位置してもよい。
【００１３】
この場合、蓋体が閉塞位置に位置したときに、仕切壁が収容凹部の前端部に位置しているので、蓋体が閉塞位置に位置した状態で、待機空間の少なくとも一部が収容凹部の前端部に位置することとなる。したがって、蓋体を閉塞位置から開放位置に位置させたときに、待機空間に位置する１つの粒状物を、この粒状物の後側から支持壁に支持させることにより、この粒状物を収容凹部の前端部に留まらせることができる。これにより、蓋体を閉塞位置から開放位置に位置させれば、粒状物用容器を前側が下方に位置するように傾けなくても、この粒状物を収容凹部の前端部に位置させることが可能になり、蓋体を開放位置に位置させた後すぐに、この粒状物を取り出すことができる。
【００１４】
また、前記左右一対の仕切壁は、左右方向の内側から外側に向かうに従い漸次、後方に向けて延びてもよい。
【００１５】
この場合、左右一対の仕切壁が、左右方向の内側から外側に向かうに従い漸次、後方に向けて延びているので、蓋体を閉塞位置から開放位置に位置させたときに、待機空間に位置する粒状物を、仕切壁により取出し隙間に向けて案内することができるとともに、導入隙間に位置する粒状物は、仕切壁により後方に押し下げられながら、左右方向の内側に案内されることとなり、この粒状物が、収容凹部の内側面と仕切壁との間に挟まれて、蓋体の円滑な移動が阻害されるのを防ぐことができる。
【００１６】
また、前記左右一対の仕切壁は、弾性変形可能に形成されてもよい。
【００１７】
この場合、左右一対の仕切壁が、弾性変形可能に形成されているので、蓋体を閉塞位置から開放位置に位置させたときに、待機空間の粒状物が、仕切壁を前方に弾性変形させながら、取出し隙間を前方に通過することとなり、待機空間の粒状物を、引っ掛かり少なく円滑に取出し隙間を前方に通過させることができる。
【発明の効果】
【００１８】
本発明によれば、粒状物を１つずつ取出すことができる。
【図面の簡単な説明】
【００１９】
【図１】本発明に係る一実施形態として示した粒状物用容器において、上下方向に直交する方向に沿う横断面図である。
【図２】図１に示す粒状物用容器において、上下方向および前後方向の双方向に沿う縦断面図である。
【図３】図１に示す粒状物用容器において、蓋体が開放位置に位置した状態を示す図である。
【図４】図１から図３に示す粒状物用容器において、蓋体が開放位置に位置した状態を示す上面図である。
【図５】図４に示す粒状物用容器の蓋体のＡ−Ａ線矢視断面図である。
【発明を実施するための形態】
【００２０】
以下、図面を参照し、本発明の一実施形態に係る粒状物用容器１について説明する。
粒状物用容器１は、図１および図２に示されるように、内側が、上方に向けて開口するとともに粒状物Ｗが収容される収容凹部１１とされた皿状の内容器１２と、内容器１２に、上下方向に直交する前後方向に移動可能に装着されるとともに、収容凹部１１を閉塞した蓋体１３と、を備える。以下、上下方向および前後方向の双方向に直交する方向を左右方向という。
粒状物Ｗとしては、例えば、清涼菓子、薬剤、サプリメント、丸薬、カプセル剤、および粒ガム等が挙げられる。図示の例では、粒状物Ｗは円板状に形成されている。
【００２１】
内容器１２は、上面視で前後方向に長い長方形状を呈する底壁１４と、底壁１４の前端縁から上方に向けて突出する前壁１５と、底壁１４の後端縁から上方に向けて突出する後壁１６と、底壁１４における左右方向の両端縁から上方に向けて各別に突出する一対の横壁１７と、を備える。
【００２２】
収容凹部１１は、底壁１４の上面（底面）と、前壁１５において後側を向く後面と、後壁１６において前側を向く前面と、横壁１７において左右方向の内側を向く内側面と、により画成されている。収容凹部１１の左右方向の大きさは、粒状物Ｗの外径の２倍以上となっている。図示の例では、収容凹部１１の左右方向の大きさは、例えば、粒状物Ｗの外径の２倍より大きく３倍より小さい。一対の横壁１７における各前端縁は、前壁１５における左右方向の両端縁に各別に連結され、一対の横壁１７における各後端縁は、後壁１６における左右方向の両端縁に各別に連結されている。前壁１５、後壁１６、および横壁１７の各上端縁の上下方向の位置は、互いに同じになっている。横壁１７のうち、前端部１７ａは他の部分より左右方向の外側に張り出している。
【００２３】
蓋体１３は、上面視で前後方向に長い長方形状を呈する頂壁２１と、頂壁２１の後端縁から下方に向けて突出する後壁２２と、頂壁２１における左右方向の両端縁から下方に向けて各別に突出する一対の側壁２３と、を備える。
一対の側壁２３における各後端縁は、後壁２２における左右方向の両端縁に各別に連結されている。頂壁２１の前端部は側壁２３より前方に突出している。頂壁２１の前端部の下面は、内容器１２のうち、横壁１７の前端部１７ａ、および前壁１５の各上端縁に配置されている。
【００２４】
蓋体１３の内側に内容器１２が前後方向に移動可能に挿入されている。内容器１２のうち、横壁１７の前端部１７ａ、前壁１５、および底壁１４は、蓋体１３で覆われておらず、外部に露呈している。蓋体１３および内容器１２を前後方向に相対移動させると、蓋体１３の頂壁２１の下面と、内容器１２における前壁１５、後壁１６、および横壁１７の各上端縁と、が互いに摺接するとともに、蓋体１３の側壁２３において左右方向の内側を向く内側面と、内容器１２の横壁１７において左右方向の外側を向く外側面と、が互いに摺接する。蓋体１３の頂壁２１の下面と、内容器１２の底壁１４の上面と、の上下方向の間隔は、粒状物Ｗの厚さの１倍より大きく２倍より小さい。
【００２５】
ここで、蓋体１３は、収容凹部１１を閉塞した閉塞位置と、図３および図４に示されるように、閉塞位置より後方に位置し、収容凹部１１の前端部１１ａを開放した開放位置と、の間を移動可能に配設されている。
内容器１２および蓋体１３のうちの少なくとも一方に、蓋体１３を開放位置に位置させたときに、他方に係合することで、これ以上の蓋体１３の後退移動を規制する規制部２５が形成されている。図示の例では、規制部２５は、蓋体１３の頂壁２１の下面から下方に向けて突出した突部とされ、頂壁２１の後部における左右方向の両端部に配置されている。規制部２５は、収容凹部１１の内側に位置している。規制部２５は、内容器１２の横壁１７の内側面に当接若しくは近接している。規制部２５は、蓋体１３を開放位置に位置させたときに、内容器１２の後壁１６の前面に当接する。蓋体１３を開放位置に位置させたときに、収容凹部１１のうち、蓋体１３から開放される前端部１１ａの前後方向の大きさは、粒状物Ｗが通過可能な大きさとなっている。図示の例では、収容凹部１１の前端部１１ａの前後方向の大きさは、粒状物Ｗの外径と同等になっている。
【００２６】
そして、本実施形態では、蓋体１３の下面に、左右方向に並べられて配置されるとともに、下方に向けて突出した左右一対の仕切壁２６が配設されている。左右一対の仕切壁２６同士の間に、粒状物Ｗが前方に通過可能な隙間（以下、取出し隙間という）Ｓ１が設けられている。仕切壁２６は、左右方向に延びており、一対の仕切壁２６における左右方向の内端縁同士の間に、取出し隙間Ｓ１が設けられている。取出し隙間Ｓ１の左右方向の大きさは、粒状物Ｗの外径以下となっている。図示の例では、取出し隙間Ｓ１の左右方向の大きさは、粒状物Ｗの外径と同等になっている。仕切壁２６における左右方向の外端縁と、内容器１２の横壁１７の内側面と、の間の左右方向の隙間は、粒状物Ｗの外径より小さい。
【００２７】
仕切壁２６は、図１および図２に示されるように、蓋体１３が閉塞位置に位置したときに、収容凹部１１の前端部１１ａに位置している。仕切壁２６は、蓋体１３の頂壁２１の前端部に配設されている。図示の例では、仕切壁２６は、左右方向の外端部を除く左右方向の全域にわたって、蓋体１３の頂壁２１の前端部に配設され、かつ内容器１２の横壁１７の前端部１７ａと左右方向で対向している。仕切壁２６と、内容器１２の前壁１５と、の前後方向の距離は、粒状物Ｗの外径より小さい。
【００２８】
左右一対の仕切壁２６は、左右方向の内側から外側に向かうに従い漸次、後方に向けて延びている。仕切壁２６は、収容凹部１１の上面視において、収容凹部１１の左右方向の中央部を通り前後方向に延びる基準線Ｏに対して線対称に配置されている。
【００２９】
仕切壁２６は弾性変形可能に形成されている。蓋体１３の頂壁２１に、図４および図５に示されるように、上面視で仕切壁２６と同じ形状で、かつ仕切壁２６より大きい開口２７が形成されており、仕切壁２６における左右方向の外端部が、開口２７の内周面うち、左右方向の外端部に位置して左右方向の内側を向く外端面２７ａに連結されている。これにより、仕切壁２６は、左右方向の外端部を固定端として、左右方向の内端部を自由端とした片持ち梁状に支持されている。仕切壁２６の上端縁は、蓋体１３の頂壁２１の上面より下方に位置している。仕切壁２６のうち、頂壁２１の下面から下方に突出した部分の上下方向の長さが、開口２７の内側に位置する部分の上下方向の長さより長くなっている。
蓋体１３の頂壁２１の上面にほぼ全域にわたって一体にラベルＬが配設されており、ラベルＬが開口２７を閉塞している。
【００３０】
図１および図２に示されるように、内容器１２における収容凹部１１の底面に、取出し隙間Ｓ１にこの隙間Ｓの後方から対向するとともに、上方に向けて突出する支持壁２８が配設されている。取出し隙間Ｓ１と、支持壁２８において前方を向く前面と、の間の空間（以下、待機空間という）Ｔの前後方向の大きさは、粒状物Ｗの外径の１倍より大きく２倍より小さい。支持壁２８の前面は、後方に向けて窪む曲面状に形成されている。支持壁２８の前面の上面視における曲率半径は、粒状物Ｗの外周面の半径と同等になっている。支持壁２８は、収容凹部１１の上面視において、収容凹部１１の左右方向の中央部を通り前後方向に延びる基準線Ｏに対して線対称に配置されている。
【００３１】
支持壁２８の左右方向の大きさは、粒状物Ｗの外径と同等になっている。すなわち、支持壁２８は、１つの粒状物Ｗのみを支持可能で、２つ以上の粒状物Ｗは支持できない構成となっている。図示の例では、支持壁２８の左右方向の大きさは、粒状物Ｗの外径より小さくなっている。なお、支持壁２８の左右方向の大きさは、粒状物Ｗの外径以上であってもよい。支持壁２８の左右方向の大きさは、取出し隙間Ｓ１の左右方向の大きさと同等になっている。なお、支持壁２８、および取出し隙間Ｓ１それぞれの左右方向の大きさを互いに異ならせてもよい。
【００３２】
支持壁２８における左右方向の両端部と、収容凹部１１の内側面と、の間の左右方向の隙間（以下、導入隙間という）Ｓ２の大きさは、粒状物Ｗの外径の１倍より大きく２倍より小さい。なお、導入隙間Ｓ２の大きさを、粒状物Ｗの外径の２倍以上としてもよい。内容器１２において、支持壁２８と前壁１５との前後方向の距離は、支持壁２８と後壁１６との前後方向の距離より小さい。
図３および図４に示されるように、蓋体１３が開放位置に位置したときに、仕切壁２６における左右方向の内端部は、支持壁２８における左右方向の両端部に、支持壁２８の前側から近接する。この際、支持壁２８は、仕切壁２６における左右方向の外端部より前方に位置している。
【００３３】
以上説明したように、本実施形態による粒状物用容器１によれば、左右一対の仕切壁２６同士の間の取出し隙間Ｓ１の左右方向の大きさが、粒状物Ｗの外径以下となっているので、取出し隙間Ｓ１と支持壁２８との間の待機空間Ｔに位置する粒状物Ｗが仮に複数あったとしても、取出し隙間Ｓ１を通過する粒状物Ｗの数量を１つに抑えることができる。
【００３４】
したがって、蓋体１３を閉塞位置から開放位置に位置させると、待機空間Ｔに位置する粒状物Ｗが、粒状物Ｗの後側から支持壁２８に支持された状態で、仕切壁２６が、導入隙間Ｓ２に位置する粒状物Ｗを後方に押し下げながら後方に移動することで、１つの粒状物Ｗが、取出し隙間Ｓ１を前方に通過する。これにより、収容凹部１１の複数の粒状物Ｗのうちの１つの粒状物Ｗのみを、取出し隙間Ｓ１を前方に通過させて収容凹部１１の前端部１１ａに位置させることができる。この際、収容凹部１１の前端部１１ａが蓋体１３から開放されることにより、１つの粒状物Ｗを取出すことができる。さらにこの際、左右一対の仕切壁２６が、支持壁２８に近接して導入隙間Ｓ２を通した粒状物Ｗの流通を阻止するため、支持壁２８より後方に位置する他の粒状物Ｗが、収容凹部１１の前端部１１ａに到達するのを防ぐことができる。
以上より、１つの粒状物Ｗを取出すことができる。
【００３５】
また、支持壁２８の左右方向の大きさが、粒状物Ｗの外径と同等になっているので、左右一対の仕切壁２６同士の間の取出し隙間Ｓ１と、支持壁２８と、の間の待機空間Ｔに位置する粒状物Ｗが仮に複数あったとしても、蓋体１３を閉塞位置から開放位置に位置させたときに、１つの粒状物Ｗのみを、この粒状物Ｗの後側から支持壁２８に支持させることが可能になり、取出し隙間Ｓ１を通過する粒状物Ｗの数量を確実に１つにすることができる。
【００３６】
また、支持壁２８における左右方向の両端部と、収容凹部１１の内側面と、の間の導入隙間Ｓ２の大きさが、粒状物Ｗの外径の１倍より大きく２倍より小さいので、粒状物Ｗが、左右方向に２つ以上並んで導入隙間Ｓ２を前方に通過するのを防ぐことが可能になり、左右一対の仕切壁２６同士の間の取出し隙間Ｓ１と、支持壁２８と、の間の待機空間Ｔに位置する粒状物Ｗの数量を１つにすることができる。
【００３７】
また、蓋体１３が閉塞位置に位置したときに、仕切壁２６が収容凹部１１の前端部１１ａに位置しているので、蓋体１３が閉塞位置に位置した状態で、待機空間Ｔの少なくとも一部が収容凹部１１の前端部１１ａに位置することとなる。したがって、蓋体１３を閉塞位置から開放位置に位置させたときに、待機空間Ｔに位置する１つの粒状物Ｗを、この粒状物Ｗの後側から支持壁２８に支持させることにより、この粒状物Ｗを収容凹部１１の前端部１１ａに留まらせることができる。これにより、蓋体１３を閉塞位置から開放位置に位置させれば、粒状物用容器１を前側が下方に位置するように傾けなくても、この粒状物Ｗを収容凹部１１の前端部１１ａに位置させることが可能になり、蓋体１３を開放位置に位置させた後すぐに、この粒状物Ｗを取り出すことができる。
【００３８】
また、左右一対の仕切壁２６が、左右方向の内側から外側に向かうに従い漸次、後方に向けて延びているので、蓋体１３を閉塞位置から開放位置に位置させたときに、待機空間Ｔに位置する粒状物Ｗを、仕切壁２６により取出し隙間Ｓ１に向けて案内することができるとともに、導入隙間Ｓ２に位置する粒状物Ｗは、仕切壁２６により後方に押し下げられながら、左右方向の内側に案内されることとなり、この粒状物Ｗが、収容凹部１１の内側面と仕切壁２６との間に挟まれて、蓋体１３の円滑な移動が阻害されるのを防ぐことができる。
【００３９】
また、左右一対の仕切壁２６が、弾性変形可能に形成されているので、蓋体１３を閉塞位置から開放位置に位置させたときに、待機空間Ｔの粒状物Ｗが、仕切壁２６を前方に弾性変形させながら、取出し隙間をＳ１前方に通過することとなり、待機空間Ｔの粒状物Ｗを、引っ掛かり少なく円滑に取出し隙間Ｓ１を前方に通過させることができる。
【００４０】
本発明は上記した実施の形態に限定されるものではなく、その趣旨を逸脱しない範囲で適宜変更可能である。
【００４１】
例えば前記実施形態では、蓋体１３が開放位置に位置したときに、仕切壁２６における左右方向の内端部を、支持壁２８における左右方向の両端部に、支持壁２８の前側から近接させたが、これに代えて、蓋体１３が開放位置に位置したときに、仕切壁２６における左右方向の内端部を、支持壁２８における左右方向の両端部に当接させてもよいし、支持壁２８を、取出し隙間Ｓ１を前方に通過させ、仕切壁２６における左右方向の内端部を、支持壁２８における左右方向の両端部に、支持壁２８の後側から近接させてもよい。
【００４２】
また、前記実施形態では、蓋体１３が閉塞位置に位置したときに、仕切壁２６が収容凹部１１の前端部１１ａに位置した構成を示したが、蓋体１３が閉塞位置に位置したときに、仕切壁２６が、収容凹部１１のうち、前端部１１ａより後方に位置する部分に位置する構成を採用してもよい。
また、前記実施形態では、左右一対の仕切壁２６が、左右方向の内側から外側に向かうに従い漸次、後方に向けて延びた構成を示したが、これに限らず例えば、左右方向に真直ぐ延びる仕切壁、左右方向の内側から外側に向かうに従い漸次、前方に向けて延びる仕切壁、または前後方向に湾曲しつつ左右方向に延びる仕切壁等を採用してもよい。
また、前記実施形態では、弾性変形可能な仕切壁２６を示したが、粒状物Ｗが当接しても変形しない剛性を有する仕切壁を採用してもよい。
また、前記実施形態では、支持壁２８の前面が、後方に向けて窪む曲面状に形成された構成を示したが、これに限らず例えば、左右方向に真直ぐ延びてもよいし、前方に向けて突となる曲面状に形成してもよい。
また、規制部２５は、前記実施形態に限らず例えば、内容器１２および蓋体１３の双方に形成する等、適宜変更してもよい。
【００４３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４４】
１  粒状物用容器
１１  収容凹部
１１ａ  前端部
１２  内容器
１３  蓋体
２６  仕切壁
２８  支持壁
Ｓ  取出し隙間（隙間）
Ｗ  粒状物
【図１】
2019099205.tif 000003
【図２】
2019099205.tif 000004
【図３】
2019099205.tif 000005
【図４】
2019099205.tif 000006
【図５】
2019099205.tif 000007